(57)【要約】【課題】棒材を様々な支持部材に簡単に取り付けて支持することができ、棒材の太さの変化に対応可能な棒材支持具を提供すること。【解決手段】互いに径が異なる第１環状部材２と第２環状部材３とを並べて、くびれ部４を介して内部空間が連通するよう一体に形成して成り、第２環状部材３の第１環状部材２と逆側の側面に開口部６を形成すると共に、開口部６を開放可能に閉鎖する閉鎖具８を設け、第１環状部材２及び第２環状部材３を、開口部６と逆側の端部を中心として開閉可能としてある。【選択図】図２
0003158164.tif 000002
【実用新案登録請求の範囲】
【請求項１】
互いに径が異なる第１環状部材と第２環状部材とを並べて、くびれ部を介して内部空間が連通するよう一体に形成して成り、前記第２環状部材の前記第１環状部材と逆側の側面に開口部を形成すると共に、該開口部を開放可能に閉鎖する閉鎖具を設け、前記第１環状部材及び第２環状部材を、前記開口部と逆側の端部を中心として開閉可能としたことを特徴とする棒材支持具。
【請求項２】
前記第１環状部材を前記開口部と逆側の端部において分割すると共に、分割部分の両側を蝶番で連結し、該蝶番を介して前記第１環状部材及び第２環状部材を開閉可能としてある請求項１に記載の棒材支持具。
【請求項３】
前記第１環状部材及び第２環状部材を、弾性のある板材で形成することにより開閉可能としてある請求項１に記載の棒材支持具。
【請求項４】
前記閉鎖具は、前記第２環状部材の前記開口部を挟んだ一方の端部を貫通し、他方の端部に螺合されたネジより成る請求項１〜３のいずれかに記載の棒材支持具。
【請求項５】
前記閉鎖具は、前記第２環状部材の前記開口部を挟んだ両端部にそれぞれ装着された係止具及びフックより成り、前記係止具に、前記フックと着脱自在に係合する複数の係止部分を周方向に沿って設けてある請求項１〜３のいずれかに記載の棒材支持具。
【考案の詳細な説明】
【技術分野】
【０００１】
本考案は、幟旗竿、看板の支持脚等の棒材をフェンス、杭等の支持部材へ取り付けるのに用いる棒材支持具に関する。
【背景技術】
【０００２】
通常、広告用の幟旗や看板を設置するには、旗竿や支持脚の下端に錘となる基台を設けて起立させることが多い。しかし、安定性を良くするためには、基台を大きく重くする必要があり、この結果、運搬の手間や収納場所が問題になるばかりか、嵩張って通行の邪魔になりやすい。
また、幟旗や看板を針金で電柱等に縛り付けることもあるが、このような方法は、取付及び撤去に手間がかかり、通行人に針金が刺さる危険性もある。
【０００３】
そこで、従来、旗竿等のポールを挿通する筒部から側方に、支持部材を挟みつける一対の挟持片を張り出して成るポール支持具が提案されている（特許文献１及び特許文献２参照）。
このポール支持具によれば、筒部にポールを挿通しておき、挟持片で支持部材を挟んでその先端を止めつけるだけで簡単にポールを支持部材に取り付けることができ、嵩張らないため通行の邪魔にもなりにくい。
しかし、筒部の直径は変更できないので、筒部の内径よりも太いポールを支持することができず、逆に、あまり細いポールではがたつきが激しくなる。
【先行技術文献】
【特許文献】
【０００４】
【特許文献１】実用新案登録第３１２００６５号公報
【特許文献２】実開平５−９２３５９号公報
【考案の概要】
【考案が解決しようとする課題】
【０００５】
本考案が解決しようとする課題は、棒材を様々な支持部材に簡単に取り付けて支持することができ、棒材の太さの変化に対応可能な棒材支持具を提供することにある。
【課題を解決するための手段】
【０００６】
本考案の棒材支持具は、互いに径が異なる第１環状部材及び第２環状部材を並べて、くびれ部を介して内部空間が連通するよう一体に形成して成り、前記第２環状部材の前記第１環状部材と逆側の側面に開口部を形成すると共に、該開口部を開放可能に閉鎖する閉鎖具を設け、前記第１環状部材及び第２環状部材を、前記開口部と逆側の端部を中心として開閉可能としてある。
【０００７】
前記第１環状部材を前記開口部と逆側の端部において分割すると共に、各分割片を蝶番で連結し、該蝶番を介して前記第１環状部材及び第２環状部材を開閉可能としても良い。
或いは、前記第１環状部材及び第２環状部材を、弾性のある板材で形成することにより開閉可能としても良い。
前記閉鎖具は、前記第２環状部材の前記開口部を挟んだ一方の端部を貫通し、他方の端部に螺合されたネジとすることがある。
又は、前記閉鎖具が、前記第２環状部材の前記開口部を挟んだ両端部にそれぞれ装着された係止具及びフックより成り、前記係止具に、前記フックと着脱自在に係合する複数の係止部分を周方向に沿って設けることがある。
【考案の効果】
【０００８】
本考案によれば、第１環状部材及び第２環状部材の内部空間がくびれ部を介して連通しているので、第１環状部材及び第２環状部材を共に開閉することができ、このため、支持部材及び棒材に簡単に巻き回すことができて、棒材の取付及び撤去作業が容易になると共に、第１環状部材及び第２環状部材の内部空間の幅を変更可能で、支持部材の形状・太さの変化、及び、被支持部材である棒材の太さの変化に対応することができる。
【図面の簡単な説明】
【０００９】
【図１】実施例１を示す棒材支持具の平面図である。
【図２】実施例１を示す棒材支持具の斜視図である。
【図３】実施例１に係る棒材支持具の使用例を示す斜視図である。
【図４】実施例１に係る棒材支持具の他の使用例を示す斜視図である。
【図５】実施例２を示す棒材支持具の要部正面図である。
【考案を実施するための形態】
【００１０】
以下、本考案の実施例を図面に基づいて詳細に説明する。図１〜図４は、本考案の実施例１を示す。
図１及び図２に示すように、棒材支持具１は、幅２．５〜３．５ｃｍ程度の金属製帯板を折り曲げて形成され、互いに径が異なる第１環状部材２と第２環状部材３とを並べて、一体に設けて成る。
第１環状部材２の内径は３．５ｃｍ程度、第２環状部材３の内径は６ｃｍ程度であるが、これは使用目的に応じて適宜変更することができる。
【００１１】
第１環状部材２と第２環状部材３とはくびれ部４を介して連続しており、このくびれ部４において、第１環状部材２と第２環状部材３の内部空間が連通している。
第１環状部材２は、他側において分割され、分割部分に設けた蝶番５によってその両側を連結してある。また、第２環状部材３の第１環状部材２と逆側の側面には開口部６が形成される。
従って、第１環状部材２及び第２環状部材３は、蝶番５と開口部６によって２つのピースに分割され、これら２つのピースは蝶番５の部分から開閉できるようになっている。
【００１２】
第２環状部材３の開口部６を挟んだ両端部には、径方向外側に折り曲げた突片７，７’が形成され、突片７，７’を貫通するネジ８より成る閉鎖具によって開口部６が開放可能に閉鎖されている。
ネジ８は、一方の突片７を貫通し、他方の突片７’に形成したネジ孔９に螺合されている。この状態では、開口部６は閉鎖されているが、ネジ８をネジ孔９から抜くと開口部６が開放されて、第１環状部材２及び第２環状部材３を大きく開くことができる。
また、ネジ孔９に螺合されたネジ８を深くねじ込むと、開口部６の幅が狭くなり、第１環状部材２及び第２環状部材３の幅も次第に狭まる。
【００１３】
この棒材支持具１は以下のように使用する。
図３に示すように、旗竿等の棒材１０をフェンスの支柱、杭等の支持部材１１に取り付けるには、まず、ネジ８を突片７，７’から抜いて棒材支持具１の開口部６を開口し、第１環状部材２及び第２環状部材３を蝶番５を中心として左右に開いておく。
次に、支持部材１１の隣に棒材１０を立て、開口部６を通して棒材１０及び支持部材１１の外側に第１環状部材２及び第２環状部材３を巻き付け、棒材１０を第１環状部材２に挿通すると共に、支持部材１１を第２環状部材３に挿通する。
【００１４】
次いで、棒材支持具１の突片７にネジ８を通し、ネジ８の先端を突片７’のネジ孔９にねじ込んで、開口部６を閉鎖する。
ネジ８は、第１環状部材２及び第２環状部材３がそれぞれ棒材１０及び支持部材を挟みつけるまで締め込む。
棒材１０を撤去する際には、ネジ８を抜いて開口部６を開放し、第１環状部材２及び第２環状部材３を開けば、簡単に棒材１０及び支持部材１１から棒材支持具１を取外すことができる。
【００１５】
この棒材支持具１を用いて、図４に示すように、棒材１０に発泡スチロール等を素材とする軽量な広告板１５を取り付けることもできる。
棒材支持具１の開口部６を開放して、第１環状部材２及び第２環状部材３を開き、立設している棒材１０の外側に第１環状部材２を巻き付ける。
次に、棒材支持具１の突片７，７’間に広告板１５を差し込み、さらに、ネジ８で突片７及び広告板１５を貫通して、ネジ８の先端を突片７’のネジ孔９に螺合し、ネジ８を締めこんで突片７，７’で広告板１５を挟みつける。
なお、起立した支柱を第２環状部材３に挿通し、棒材支持具１を用いて広告板１５を支持することも可能である。
また、テント等の横架材を第１環状部材２に通し、同様にして、この棒材支持具１により広告板１５を支持することもできる。
【００１６】
図５は、本考案の実施例２を示す。
本実施例では、係止具１２及びフック１３から成る閉鎖具を用いている。
第２環状部材３には突片７，７’を設けておらず、係止具１２及びフック１３は、第２環状部材３の開口部６を挟んだ両端部外面にそれぞれ装着してある。
係止具１２にはフック１３と着脱自在に係合する係止部分１４を周方向に沿って複数並設してある。
従って、フック１３と係止具１２の係止部分１４を係合することにより開口部６を閉鎖し、係止部分１４とフック１３の係合を外すことにより開口部６を開放できる。また、フック１３を係止する係止部分１４を変えることによって、開口部６の幅を調整できる。
その他の構成は実施例１と同様なので、詳細な説明を省略する。
【００１７】
なお、第１環状部材及び第２環状部材を、弾性を有する帯板で連続した一部材として形成し、弾性変形させることにより開口部と逆側の他側を中心として開閉することもできる。
また、開口部を有する第２環状部材を第１環状部材より径小とすることも可能である。
【符号の説明】
【００１８】
１  棒材支持具
２  第１環状部材
３  第２環状部材
４  くびれ部
５  蝶番
６  開口部
７，７’  突片
８  ネジ
９  ネジ孔
１０  棒材
１１  支持部材
１２  係止具
１３  フック
１４  係止部材
１５  広告板
【図１】
0003158164.tif 000003
【図２】
0003158164.tif 000004
【図３】
0003158164.tif 000005
【図４】
0003158164.tif 000006
【図５】
0003158164.tif 000007